(57)【要約】      （修正有）【課題】猫が爪を研ぐことができ、おもちゃとして遊ぶことも可能な猫用遊具を提供する。【解決手段】本発明に係る猫用遊具１は、上面に爪研ぎ部材１３が設置され、内部が空洞になっている箱体１０と、前記箱体１０の上面及び／又は側面に形成された、猫が手を挿入する穴部２１とを有する。前記穴部２１は、前記箱体１０の上面及び側面のそれぞれに形成されていることが好ましい。前記箱体１０の内部には、前記爪研ぎ部材１３を支える支持部材が設置されていることが好ましい。さらに、猫用遊具１は、前記穴部２１の側面を保護する保護キャップ２２を有することが好ましく、また前記箱体１０の内部に投入されたボールを有することが好ましい。【選択図】図１
2018050476.tif 000002
【特許請求の範囲】
【請求項１】
上面に爪研ぎ部材が設置され、内部が空洞になっている箱体と、
前記箱体の上面及び／又は側面に形成された、猫が手を挿入する穴部と
を有する猫用遊具。
【請求項２】
前記穴部が、前記箱体の上面及び側面のそれぞれに形成されている請求項１に記載の猫用遊具。
【請求項３】
前記箱体の内部に、前記爪研ぎ部材を支える支持部材が設置されている請求項１又は２に記載の猫用遊具。
【請求項４】
前記穴部の側面を保護する保護キャップ
をさらに有する請求項１〜３のいずれか１項に記載の猫用遊具。
【請求項５】
前記箱体の内部に投入されたボール
をさらに有する請求項１〜４のいずれか１項に記載の猫用遊具。
【請求項６】
前記爪研ぎ部材が、段ボール製である請求項１〜５のいずれか１項に記載の猫用遊具。
【発明の詳細な説明】
【技術分野】
【０００１】
本発明は、猫が爪を研ぐことができ、おもちゃとして遊ぶことも可能な猫用遊具に関する。
【背景技術】
【０００２】
猫には、カーペット、段ボール、木などに爪をたてて爪研ぎをする習性がある。その理由としては、古い爪をはがして鋭くするため、ニオイをつけて自分の場所であることを示すため、ストレス解消のためなどと言われている。そのため、放っておくと家のカーペット、柱、壁、家具など様々な場所で猫が爪研ぎをしてしまい、家中が傷だらけになってしまう。そこで、専用の猫用爪研ぎを猫に与えることが有効であり、種々の猫用爪研ぎが知られている（例えば、特許文献１〜４）。
【先行技術文献】
【特許文献】
【０００３】
【特許文献１】実用新案登録第３１８７３１５号公報
【特許文献２】実用新案登録第３１８７９７２号公報
【特許文献３】実用新案登録第３１９２５９２号公報
【特許文献４】実用新案登録第３１９４６６８号公報
【発明の概要】
【発明が解決しようとする課題】
【０００４】
特許文献１〜４に記載された猫用爪研ぎは、猫がよろこんで自ら爪研ぎをするように設計されているものの、おもちゃとして猫が遊ぶ要素は少なく、猫が遊ぶための遊具を別途準備する必要があった。
【０００５】
そこで、本発明は、猫が爪を研ぐことができ、おもちゃとして遊ぶことも可能な猫用遊具を提供することを目的とする。
【課題を解決するための手段】
【０００６】
本発明に係る猫用遊具は、上面に爪研ぎ部材が設置され、内部が空洞になっている箱体と、前記箱体の上面及び／又は側面に形成された、猫が手を挿入する穴部とを有する。
【発明の効果】
【０００７】
本発明によれば、猫が爪を研ぐことができ、おもちゃとして遊ぶことも可能な猫用遊具を提供することができる。
【図面の簡単な説明】
【０００８】
【図１】本発明に係る猫用遊具の一構成例の外観を示す斜視図である。
【図２】本発明に係る猫用遊具の一構成例の内部構造を示す縦断面図である。
【図３】本発明に係る猫用遊具の一構成例の内部構造を示す横断面図である。
【発明を実施するための形態】
【０００９】
本発明に係る猫用遊具の一構成例を図１（斜視図）に示し、その内部構造を図２〜３（断面図）に示す。本発明に係る猫用遊具１は、上面に爪研ぎ部材１３が設置され、内部が空洞になっている箱体１０からなる。
【００１０】
箱体１０は、図１〜３に示すように、例えば、側面部材１１、底面部材１２、及び上面を構成する爪研ぎ部材１３からなる。こうすることで、猫が、箱体１０の上面を構成する爪研ぎ部材１３を使って爪を研ぐことができる。なお、図１〜３に示すように、爪研ぎ部材１３自体が箱体１０の上面を構成してもよく、箱体１０が別途上面部材を有していて、その上面部材の表面に爪研ぎ部材１３が設置されていてもよい。箱体１０の形状は、三角柱、四角柱、五角柱などの角柱の形状とすることができ、なかでも、直方体や立方体のような四角柱の形状とすることが好ましく、直方体がより好ましい。
【００１１】
箱体１０の幅Ｗ（最大となる長さ）は、大きめの猫が乗っかることを考慮して、３００〜６００ｍｍであることが好ましく、４００〜５００ｍｍであることがより好ましく、例えば４６０ｍｍとすることができる。箱体１０の奥行Ｄ（幅に対して垂直方向の長さ）は、部屋にコンパクトに設置することを考慮して、１００〜４００ｍｍであることが好ましく、２００〜３００ｍｍであることがより好ましく、例えば２４０ｍｍとすることができる。箱体１０の高さＨは、猫が容易に乗っかって遊ぶことを考慮して、５０〜２００ｍｍであることが好ましく、７０〜１５０ｍｍであることがより好ましく、例えば９５ｍｍとすることができる。
【００１２】
箱体１０の側面及び底面を構成する側面部材１１及び底面部材１２の材質としては、厚紙、段ボール、木、プラスチックなどが挙げられるが、段ボールが好ましい。側面部材１１及び底面部材１２の厚さは、１〜１０ｍｍであることが好ましく、３〜７ｍｍであることがより好ましく、例えば５ｍｍとすることができる。側面部材１１及び底面部材１２の厚さは、同じでもよく、異なっていてもよい。側面部材１１及び底面部材１２は、上記の厚さを有する板状のものであればよく、その内部は空洞であってもよい。
【００１３】
爪研ぎ部材１３の材質としては、カーペット、段ボール、木などが挙げられるが、段ボールが好ましい。段ボール製の爪研ぎ部材１３としては、段ボールが複数積層された段ボールブロックが挙げられる。段ボール製の爪研ぎ部材１３であれば、容易に所望の形状に加工することができる。爪研ぎ部材１３の厚さｔは、猫が爪研ぎ部材１３の上に乗っかっても箱体１０が潰れることのない厚さであることが好ましく、具体的には１０〜４０ｍｍであることが好ましく、２０〜３０ｍｍであることがより好ましく、例えば２５ｍｍとすることができる。箱体１０が別途上面部材を有していて、その上面部材の表面に爪研ぎ部材１３が設置されている場合は、その全体（上面部材＋爪研ぎ部材１３）が上記の厚さであることが好ましい。
【００１４】
爪研ぎ部材１３は、猫が爪を研いでいる際にずれたりしないように、側面部材１１の上部に接着されていることが好ましい。さらに、箱体１０の内部には、爪研ぎ部材１３を支える支持部材１４が設置されていることが好ましい。箱体１０の内部に支持部材１４が設置されていることで、猫が爪研ぎ部材１３の上に乗っかっても箱体１０が潰れにくくなる。支持部材１４の材質としては、厚紙、段ボール、木、プラスチックなどが挙げられるが、段ボールが好ましい。支持部材１４の厚さは、２０〜５０ｍｍであることが好ましく、２５〜４０ｍｍであることがより好ましく、例えば３０ｍｍとすることができる。支持部材１４の設置位置は、適宜設定することができるが、例えば穴部が形成されていない側面部材１１に接触する位置とすることができる。
【００１５】
本発明に係る猫用遊具１において、箱体１０の上面及び／又は側面には、猫が手を挿入する穴部２１が形成されている。こうすることで、猫は、穴部２１に手を挿入したり、穴部２１に挿入した手を引き抜いたりして遊ぶことができる。穴部２１は、箱体１０の上面及び側面のそれぞれに形成されていることが好ましく、例えば、図１〜３の猫用遊具１では、箱体１０の上面を構成する爪研ぎ部材１３及び一対の向かい合った側面部材１１のそれぞれに穴部２１が形成されている。
【００１６】
穴部２１を形成する位置及び数は、箱体１０の大きさや穴部２１の大きさなどを考慮して適宜設定することができる。穴部２１の数は、上面及び／又は側面の各面に１〜５個が好ましく、２〜４個がより好ましく、例えば３個とすることができる。各面の穴部２１の数は同じでもよく、異なっていてもよい。例えば、図１〜３の猫用遊具１では、箱体１０の上面を構成する爪研ぎ部材１３と、箱体１０の一対の向かい合った側面部材１１に、それぞれ３つの穴部２１が形成されている。
【００１７】
穴部２１の形状は、適宜決定することができ、三角形、四角形、五角形、六角形などの多角形でもよく、円形、楕円形、星形などでもよいが、穴部２１の形成が容易であることから、円形であることが好ましい。複数の穴部２１が形成されている場合、その形状は同じでもよく、異なっていてもよい。例えば、図１〜３の猫用遊具１では、箱体１０の上面を構成する爪研ぎ部材１３に形成された３つの穴部２１の形状は、いずれも円形であり、箱体１０の一対の向かい合った側面部材１１にそれぞれ形成された３つの穴部２１は、円形、三角形、及び四角形である。
【００１８】
穴部２１の大きさは、猫が手を挿入して遊べる大きさであればよいが、形状が円形である穴部２１の直径は、２０〜６０ｍｍであることが好ましく、３０〜５０ｍｍであることがより好ましく、例えば３５ｍｍ、４０ｍｍ、４５ｍｍとすることができる。複数の穴部２１が形成されている場合、その大きさは同じでもよく、異なっていてもよい。形状が円形以外である穴部２１の場合は、その内接円の直径が、上記の直径であることが好ましい（以下、同様）。
【００１９】
穴部２１は、箱体１０の上面を構成する爪研ぎ部材１３や側面部材１１の一部をくり抜くことで形成することができる。そして、形成された穴部２１の側面を保護すべく、保護キャップ２２を設置することが好ましい。特に、段ボール製の爪研ぎ部材１３に形成した穴部２１の側面の見た目があまりよくないが、その穴部２１の側面を保護する保護キャップ２２を設置することで側面はカバーされ、見た目がよくなる。また、保護キャップ２２を設置することで、猫が穴部２１から手を挿入したときに爪研ぎ部材１３が崩れる可能性も低下する。保護キャップ２２の形状は、穴部２１の側面を保護でき、穴部２１の側面を保護した状態で猫が手を挿入して遊べる形状であればよい。保護キャップ２２の材質は、厚紙、段ボール、木、プラスチックなどが挙げられるが、プラスチックが好ましい。
【００２０】
箱体１０の内部には、ボール３１が投入されていることが好ましい。こうすることで、猫が穴部２１から箱体１０の内部に挿入した手でボール３１を動かしたりして、遊ぶことができる。ボール３１以外の遊具（ネズミを模したフィギュアなど）を投入することも可能であるが、ちょっとした力で簡単に動くボール３１が好ましい。箱体１０の内部に投入されたボール３１の数は、１個でもよく、２個でもよく、３個でもよく、４個以上でもよく、通常は８個以下である。さらに、ボール３１の内部は空洞になっていて、その内部に音の出る鈴や、猫が大好きな臭いのキャットニップを入れることで、猫は喜んでボール３１を使って遊ぶようになる。
【００２１】
ボール３１の直径ｄは、ボール３１が箱体１０の側面から外部に飛び出さないように、側面部材１１に形成された穴部２１の直径ｄ１より大きいことが好ましい。一方、箱体１０の内部に投入されたボール３１を取り出せるようにするため、ボール３１の直径ｄは、上面（爪研ぎ部材１３）に形成された穴部２１の直径ｄ２より小さいことが好ましい。すなわち、例えば、側面部材１１に形成された穴部２１の直径ｄ１を３５ｍｍとし、爪研ぎ部材１３に形成された穴部２１の直径ｄ２を４０ｍｍとし、ボール３１の直径ｄを３８ｍｍとすることができる。
【００２２】
以上のような本発明に係る猫用遊具であれば、猫が爪を研ぐことができ、おもちゃとして遊ぶことも可能となる。
【符号の説明】
【００２３】
１    猫用遊具
１０  箱体
１１  側面部材
１２  底面部材
１３  爪研ぎ部材
１４  支持部材
２１  穴部
２２  保護キャップ
３１  ボール
Ｗ    箱体の幅
Ｄ    箱体の奥行
Ｈ    箱体の高さ
ｔ    爪研ぎ部材の厚さ
ｄ    ボールの直径
ｄ１  側面に形成された穴部の直径
ｄ２  上面に形成された穴部の直径
【図１】
2018050476.tif 000003
【図２】
2018050476.tif 000004
【図３】
2018050476.tif 000005